【手続補正書】
【提出日】平成21年4月15日(2009.4.15)
【手続補正１】
【補正対象書類名】特許請求の範囲
【補正対象項目名】全文
【補正方法】変更
【補正の内容】
【特許請求の範囲】
【請求項１】
被写体光学像を画像信号に変換する撮像素子と、前記撮像素子から出力された画像信号を表示する表示手段とを有し、前記撮像素子から予め設定された周期で出力される画像信号を前記表示手段に逐次表示するライブビュー表示を行う撮像装置であって、
前記ライブビュー表示中に画像信号の更新周期及びゲイン及び絞り値の少なくともいずれかを使用者が変更するための操作手段と、
静止画の撮影を指示する撮影指示手段と、
前記撮影指示手段による撮影の指示を受けて測光を行う測光手段と、
前記測光手段による測光の結果、被写体の輝度が予め設定された輝度よりも低いかどうかを判断する判断手段と、
前記判断手段により低いと判断された場合に、前記操作手段により変更された更新周期及びゲイン及び絞り値に基づいて露出制御を行い、低くない場合には、前記測光手段により得られた測光結果に基づいて露出制御を行う露出制御手段と
を有することを特徴とする撮像装置。
【請求項２】
前記露出制御手段は、シャッタースピード、絞り値、ゲインの少なくともいずれかを制御することを特徴とする請求項１に記載の撮像装置。
【請求項３】
前記ライブビュー表示終了時に、ライブビュー表示で用いられたゲイン、絞り値、更新周期に基づいて、静止画撮影に用いる露出値を演算する演算手段を更に有し、
前記ライブビュー表示終了後、前記露出制御手段は、被写体の輝度が予め設定された輝度よりも低い場合に、前記演算手段により演算された露出値に基づいて露出制御を行うことを特徴とする請求項１または２に記載の撮像装置。
【請求項４】
前記ライブビュー表示中に、予め設定された更新周期と、前記更新周期で出力された画像信号の輝度に基づいて、更新周期を変更する手段を更に有することを特徴とする請求項１乃至３のいずれか１項に記載の撮像装置。
【請求項５】
被写体光学像を画像信号に変換する撮像素子と、前記撮像素子から出力された画像信号を表示する表示手段とを有し、前記撮像素子から予め設定された周期で出力される画像信号を前記表示手段に逐次表示するライブビュー表示を行う撮像装置であって、
前記ライブビュー表示中に画像信号の更新周期及びゲイン及び絞り値の少なくともいずれかを使用者が変更するための操作手段と、
静止画の撮影を指示する撮影指示手段と、
前記撮影指示手段による撮影の指示を受けて測光を行う測光手段と、
前記測光手段による測光の結果、被写体の輝度が予め設定された輝度よりも低いかどうかを判断する判断手段と、
前記判断手段により低いと判断された場合に、前記操作手段により変更された更新周期及びゲイン及び絞り値に基づいて露出値を演算し、低くない場合には、前記測光手段により得られた測光結果に基づいて露出値を演算し、前記表示手段に演算結果を表示する第１の演算手段と
を有することを特徴とする撮像装置。
【請求項６】
前記第１の演算手段は、露出値を構成する、シャッタースピード、絞り値、ゲインの少なくともいずれかを演算することを特徴とする請求項５に記載の撮像装置。
【請求項７】
前記ライブビュー表示終了時に、ライブビュー表示で用いられたゲイン、絞り値、更新周期に基づいて、静止画撮影に用いる露出値を演算する第２の演算手段を更に有し、
前記ライブビュー表示終了後、前記第１の演算手段は、被写体の輝度が予め設定された輝度よりも低い場合に、前記第２の演算手段により演算された露出値に基づいて露出値を演算することを特徴とする請求項５または６に記載の撮像装置。
【請求項８】
前記ライブビュー表示中に、予め設定された更新周期と、前記更新周期で出力された画像信号の輝度に基づいて、更新周期を変更する手段を更に有することを特徴とする請求項５乃至７のいずれか１項に記載の撮像装置。
【請求項９】
前記更新周期はシャッタースピードより低速であることを特徴とする請求項１乃至８のいずれか１項に記載の撮像装置。
【請求項１０】
被写体光学像を画像信号に変換する撮像素子と、前記撮像素子から出力された画像信号を表示する表示手段とを有し、前記撮像素子から予め設定された周期で出力される画像信号を前記表示手段に逐次表示するライブビュー表示を行う撮像装置の制御方法であって、
変更手段が、前記ライブビュー表示中に、使用者による画像信号の更新周期及びゲイン及び絞り値の少なくともいずれかの変更を受け付けて変更する変更工程と、
測光手段が、静止画の撮影指示を受けて、測光を行う測光工程と、
判断手段が、前記測光工程における測光の結果、被写体の輝度が予め設定された輝度よりも低いかどうかを判断する判断工程と、
露出制御手段が、前記判断工程により低いと判断された場合には、前記変更工程で変更された更新周期及びゲイン及び絞り値に基づいて露出制御を行い、低くない場合には、前記測光工程で得られた測光結果に基づいて露出制御を行う露出制御工程と、
撮影制御手段が、前記露出制御工程において制御された露出により静止画の撮影を行う撮影工程と
を有することを特徴とする制御方法。
【請求項１１】
被写体光学像を画像信号に変換する撮像素子と、前記撮像素子から出力された画像信号を表示する表示手段とを有し、前記撮像素子から予め設定された周期で出力される画像信号を前記表示手段に逐次表示するライブビュー表示を行う撮像装置の制御方法であって、
変更手段が、前記ライブビュー表示中に、使用者による画像信号の更新周期及びゲイン及び絞り値の少なくともいずれかの変更を受け付けて変更する変更工程と、
測光手段が、静止画の撮影指示を受けて、測光を行う測光工程と、
判断手段が、前記測光工程における測光の結果、被写体の輝度が予め設定された輝度よりも低いかどうかを判断する判断工程と、
演算手段が、前記判断工程により低いと判断された場合には、前記変更工程で変更された更新周期及びゲイン及び絞り値に基づいて露出値を演算し、低くない場合には、前記測光工程で得られた測光結果に基づいて露出値を演算し、前記表示手段に演算結果を表示する演算工程と
を有することを特徴とする制御方法。
【手続補正２】
【補正対象書類名】明細書
【補正対象項目名】００１３
【補正方法】変更
【補正の内容】
【００１３】
上記目的を達成するために、被写体光学像を画像信号に変換する撮像素子と、前記撮像素子から出力された画像信号を表示する表示手段とを有し、前記撮像素子から予め設定された周期で出力される画像信号を前記表示手段に逐次表示するライブビュー表示を行う本発明の撮像装置は、前記ライブビュー表示中に画像信号の更新周期及びゲイン及び絞り値の少なくともいずれかを使用者が変更するための操作手段と、静止画の撮影を指示する撮影指示手段と、前記撮影指示手段による撮影の指示を受けて測光を行う測光手段と、前記測光手段による測光の結果、被写体の輝度が予め設定された輝度よりも低いかどうかを判断する判断手段と、前記判断手段により低いと判断された場合に、前記操作手段により変更された更新周期及びゲイン及び絞り値に基づいて露出制御を行い、低くない場合には、前記測光手段により得られた測光結果に基づいて露出制御を行う露出制御手段とを有する。
【手続補正３】
【補正対象書類名】明細書
【補正対象項目名】００１４
【補正方法】変更
【補正の内容】
【００１４】
また、被写体光学像を画像信号に変換する撮像素子と、前記撮像素子から出力された画像信号を表示する表示手段とを有し、前記撮像素子から予め設定された周期で出力される画像信号を前記表示手段に逐次表示するライブビュー表示を行う撮像装置の本発明の制御方法は、変更手段が、前記ライブビュー表示中に、使用者による画像信号の更新周期及びゲイン及び絞り値の少なくともいずれかの変更を受け付けて変更する変更工程と、測光手段が、静止画の撮影指示を受けて、測光を行う測光工程と、判断手段が、前記測光工程における測光の結果、被写体の輝度が予め設定された輝度よりも低いかどうかを判断する判断工程と、露出制御手段が、前記判断工程により低いと判断された場合には、前記変更工程で変更された更新周期及びゲイン及び絞り値に基づいて露出制御を行い、低くない場合には、前記測光工程で得られた測光結果に基づいて露出制御を行う露出制御工程と、撮影制御手段が、前記露出制御工程において制御された露出により静止画の撮影を行う撮影工程とを有する。
【手続補正４】
【補正対象書類名】明細書
【補正対象項目名】００１５
【補正方法】変更
【補正の内容】
【００１５】
また、別の構成によれば、被写体光学像を画像信号に変換する撮像素子と、前記撮像素子から出力された画像信号を表示する表示手段とを有し、前記撮像素子から予め設定された周期で出力される画像信号を前記表示手段に逐次表示するライブビュー表示を行う本発明の撮像装置は、前記ライブビュー表示中に画像信号の更新周期及びゲイン及び絞り値の少なくともいずれかを使用者が変更するための操作手段と、静止画の撮影を指示する撮影指示手段と、前記撮影指示手段による撮影の指示を受けて測光を行う測光手段と、前記測光手段による測光の結果、被写体の輝度が予め設定された輝度よりも低いかどうかを判断する判断手段と、前記判断手段により低いと判断された場合に、前記操作手段により変更された更新周期及びゲイン及び絞り値に基づいて露出値を演算し、低くない場合には、前記測光手段により得られた測光結果に基づいて露出値を演算し、前記表示手段に演算結果を表示する第１の演算手段とを有する。
【手続補正５】
【補正対象書類名】明細書
【補正対象項目名】００１６
【補正方法】変更
【補正の内容】
【００１６】
また、被写体光学像を画像信号に変換する撮像素子と、前記撮像素子から出力された画像信号を表示する表示手段とを有し、前記撮像素子から予め設定された周期で出力される画像信号を前記表示手段に逐次表示するライブビュー表示を行う撮像装置の本発明の制御方法は、変更手段が、前記ライブビュー表示中に、使用者による画像信号の更新周期及びゲイン及び絞り値の少なくともいずれかの変更を受け付けて変更する変更工程と、測光手段が、静止画の撮影指示を受けて、測光を行う測光工程と、判断手段が、前記測光工程における測光の結果、被写体の輝度が予め設定された輝度よりも低いかどうかを判断する判断工程と、演算手段が、前記判断工程により低いと判断された場合には、前記変更工程で変更された更新周期及びゲイン及び絞り値に基づいて露出値を演算し、低くない場合には、前記測光工程で得られた測光結果に基づいて露出値を演算し、前記表示手段に演算結果を表示する演算工程とを有する。
【手続補正６】
【補正対象書類名】明細書
【補正対象項目名】００２３
【補正方法】変更
【補正の内容】
【００２３】
３４０は測光制御部４６からの測光情報に基づいて、後述するカメラ本体１００のシャッター１２を制御するシャッター制御部４０と連携しながら、絞り３１２を制御する絞り制御部である。３４２は撮像レンズ３１０のフォーカシングを制御するフォーカス制御部、３４４は撮像レンズ３１０のズーミングを制御するズーム制御部である。
【手続補正７】
【補正対象書類名】明細書
【補正対象項目名】００４２
【補正方法】変更
【補正の内容】
【００４２】
また、通知部５４の表示内容のうち、光学ファインダー１０４内に表示するものとしては、例えば、以下のものがある。合焦表示、撮影準備完了表示、手振れ警告表示、フラッシュ充電表示、フラッシュ充電完了表示、シャッタースピード表示、絞り値表示、露出補正表示、記録媒体書き込み動作表示等である。
【手続補正８】
【補正対象書類名】明細書
【補正対象項目名】００４３
【補正方法】変更
【補正の内容】
【００４３】
さらに、通知部５４の表示内容のうち、ＬＥＤ等により表示するものとしては、例えば、以下のものがある。合焦表示、撮影準備完了表示、手振れ警告表示、フラッシュ充電表示、フラッシュ充電完了表示、記録媒体書き込み動作表示、マクロ撮影設定通知表示、二次電池充電表示等である。
【手続補正９】
【補正対象書類名】明細書
【補正対象項目名】００４４
【補正方法】変更
【補正の内容】
【００４４】
また、通知部５４の表示内容のうち、ランプ等に表示するものとしては、例えば、セルフタイマー通知ランプ等がある。このセルフタイマー通知ランプはＡＦ補助光と共用してもよい。
【手続補正１０】
【補正対象書類名】明細書
【補正対象項目名】００７７
【補正方法】変更
【補正の内容】
【００７７】
一方、ステップＳ１０８で問題がないと判別された場合、システム制御回路５０は通知部５４を用いて画像や音声によりカメラ本体１００の各種設定状態の表示を行って（ステップＳ１０９）、図３のステップＳ１１３に進む。ここで、画像表示部２８の画像表示スイッチがＯＮである場合、画像表示部２８を用いて画像や音声によりカメラ本体１００の各種設定状態を表示するようにしてもよい。
【手続補正１１】
【補正対象書類名】明細書
【補正対象項目名】０１１１
【補正方法】変更
【補正の内容】
【０１１１】
ステップＳ７０３で合焦と判断されると、システム制御回路５０は、測光制御部４６を用いてＡＥ（自動露出）演算処理を開始する（ステップＳ７０５）。システム制御回路５０は、絞りを開放し、撮影レンズ３１０に入射した光線を、絞り３１２、レンズマウント３０６、１０６、ミラー１３０、１３２および測光用レンズ（図示せず）を介して、測光制御部４６に入射させる。これにより、光学像として結像された画像の輝度を測定する。そして、露出状態が所定レベル以上かどうかを判断（ステップＳ７０７）する。所定レベル以上であれば測光ＯＫと判断し、システム制御回路５０は、測光データに基づいてシャッタースピード（Ｔｖ）及び絞り値（Ａｖ）を算出する。そして、システム制御回路５０の内部メモリあるいはメモリ５２に静止画撮影に用いる露出値（ＡＥ値）として記憶する（ステップＳ７０８）。
【手続補正１２】
【補正対象書類名】明細書
【補正対象項目名】０１１２
【補正方法】変更
【補正の内容】
【０１１２】
また所定レベルより低ければ、被写体が測光限界以下の輝度であると判断し、ライブビュー表示中に図４のステップＳ５１４で演算した露出演算値（ＡＥ_ｌｖ）に基づいてシャッタースピード（Ｔｖ）及び絞り値（Ａｖ）を算出する。ここでＡＥ_ｌｖはゲインをｘ１として演算されているため、静止画撮影で設定されているゲインに応じてＴｖ値の補正を行う。そして、算出したシャッタースピード（Ｔｖ）及び絞り値（Ａｖ）を露出値（ＡＥ）として記憶する（ステップＳ７０９）。